(57)【要約】      （修正有）【課題】ホログラム記録媒体などの感光性記録媒体用カートリッジが、種類の異なる記録媒体用の記録再生装置に誤って装填されるのを阻止し、これにより感光性記録媒体に記録されたデータや記録再生装置に与える損傷を防止する。【解決手段】感光性記録媒体２１を回転自在に収容する感光性記録媒体用カートリッジ２０の装填方向Ｃの側端面２０ｂに、他の記録媒体用カートリッジの側端面に形成された係止溝とは形状が異なる溝部２９が、感光性記録媒体用カートリッジ２０の装填方向Ｃの前方から後方に向かって形成されている。感光性記録媒体用カートリッジ２０を誤って他の記録媒体用記録再生装置に挿入すると、カートリッジフックが溝部２９と干渉して挿入が阻止される。これにより、感光性記録媒体用カートリッジ２０の誤装填が防止されて感光性記録媒体２１に記録されたデータが保護される。【選択図】図１
2007052836.tif 000002
【特許請求の範囲】
【請求項１】
感光性記録媒体を回転自在に収容すると共に前記感光性記録媒体の中心と記録面とを外部に露呈させる開口を有するカートリッジ本体と、
前記カートリッジ本体の外側に取り付けられて前記開口を閉じる閉じ位置と前記開口を開放する開き位置との間で移動自在に配設されたシャッタと、
前記カートリッジ本体の装填方向前方から後方に向かって前記カートリッジ本体の側端面に形成され、前記感光性記録媒体以外の記録媒体が収容されたカートリッジの側端面に設けられた係止溝とは形状が異なる溝部と、
を備えたことを特徴とする感光性記録媒体用カートリッジ。
【請求項２】
前記溝部の幅は、少なくとも一部が前記係止溝の幅よりも狭いことを特徴とする請求項１に記載の感光性記録媒体用カートリッジ。
【請求項３】
前記溝部の深さは、少なくとも一部が前記係止溝の深さよりも浅いことを特徴とする請求項１に記載の感光性記録媒体用カートリッジ。
【請求項４】
前記溝部は、その幅が前記カートリッジ本体の装填方向前方から後方に向かうに従って次第に狭くなる三角形溝であることを特徴とする請求項１又は２に記載の感光性記録媒体用カートリッジ。
【請求項５】
前記溝部は、その幅が前記カートリッジ本体の装填方向前方から後方に向かうに従って順次狭くなる複数の溝部からなることを特徴とする請求項１又は２に記載の感光性記録媒体用カートリッジ。
【請求項６】
前記溝部は、前記カートリッジ本体の装填方向後端部が円弧状に形成されていることを特徴とする請求項１又は２に記載の感光性記録媒体用カートリッジ。
【請求項７】
前記溝部は、前記カートリッジ本体の装填方向後端部の角部が円弧状に形成され、且つ幅が異なる複数の溝部からなることを特徴とする請求項１又は２に記載の感光性記録媒体用カートリッジ。
【請求項８】
前記感光性記録媒体は、ホログラム記録媒体であることを特徴とする請求項１から７のいずれか１つに記載の感光性記録媒体用カートリッジ。
【発明の詳細な説明】
【技術分野】
【０００１】
本発明は、感光性記録媒体用カートリッジに関し、特に、感光性記録媒体用カートリッジがメディアの種類が異なる記録再生装置に誤装填されるのを防止することができる感光性記録媒体用カートリッジに関する。
【背景技術】
【０００２】
各種情報を記録する記録媒体として、従来から記録原理の異なる円盤状の記録媒体が種々用いられている。これら円盤状の記録媒体は、外部からの塵埃や異物の侵入、作業者の接触による影響、感光性記録媒体にあっては光による感光の影響を排除するために、一般にシャッタ付きカートリッジケースに収容されている。また、カートリッジケースに収容された記録媒体にデータを記録し、または記録されたデータを再生する記録再生装置は、記録媒体ごとに専用の記録再生装置が用いられる。
【０００３】
このような記録媒体、例えば、光磁気ディスクは、カートリッジケースに収容されたディスクカセットが知られており、ディスクカセットごと記録再生装置に装填してデータが記録、再生される（例えば、特許文献１参照）。図９は特許文献１のディスクカートリッジの外観斜視図、図１０はディスクカートリッジおよびディスクカートリッジに形成されたフック溝に嵌合するカートリッジフックを示し、（Ａ）は平面図、（Ｂ）は側面図である。
【０００４】
図９および図１０に示すように、ディスクカートリッジ１は、光磁気ディスク２がディスクカートリッジ１内に回動自在に収容されている。ディスクカートリッジ１には、光磁気ディスク２の信号記録領域２ａおよびチャッキング部２ｂを外部に露出させる開口部３が形成されている。ディスクカートリッジ１の外側には、開口部３を開閉するシャッタ４がスライド自在に配設されている。シャッタ４は、その一部がＹ方向に延設されて係合部４ａが形成されており、図示しない記録再生装置のオープンアームと係合して開口部３が開閉される。
【０００５】
ディスクカートリッジ１の前端部の両側面は、内方に僅かに傾斜した傾斜面１ａ、１ｂが形成されており、これら傾斜面１ａ、１ｂには幅Ｗ１の略矩形のフック溝１ｃが形成されている。フック溝１ｃには、記録再生装置に設けられた自動ロード／アンロード機構を構成し、フック溝１ｃと略同一形状のカートリッジフック５が係合してカートリッジフック５とディスクカートリッジ１とが一体となって記録再生装置に引き込まれて装填される。
【０００６】
【特許文献１】特開平７−２１０９１２号公報
【発明の開示】
【発明が解決しようとする課題】
【０００７】
種類の異なる円盤状記録媒体は、取扱い性などの問題から外径、形状などが類似したものが多い。従って、このような円盤状記録媒体を収容するカートリッジケースの形状や外形寸法も、必然的に類似したものが多くなる傾向がある。この場合、ホログラム記録媒体を収容する感光性記録媒体用カートリッジが、誤って光磁気ディスク用記録再生装置に装填されると、ホログラム記録媒体の記録層に損傷を与え、データが破壊されるおそれがある。また、極端な場合には、光磁気ディスク用記録再生装置が損傷を受ける可能性がある。
【０００８】
本発明は、上記事情に鑑みてなされたもので、その目的は、感光性記録媒体用カートリッジが、種類の異なる記録媒体用の記録再生装置、特に光磁気ディスク用記録再生装置に誤って装填されるのを阻止し、これにより感光性記録媒体に記録されたデータや記録再生装置に与える損傷を防止することができる感光性記録媒体用カートリッジを提供することにある。
【課題を解決するための手段】
【０００９】
本発明の上記目的は、下記感光性記録媒体用カートリッジによって達成される。
（１）  感光性記録媒体を回転自在に収容すると共に前記感光性記録媒体の中心と記録面とを外部に露呈させる開口を有するカートリッジ本体と、前記カートリッジ本体の外側に取り付けられて前記開口を閉じる閉じ位置と前記開口を開放する開き位置との間で移動自在に配設されたシャッタと、前記カートリッジ本体の装填方向前方から後方に向かって前記カートリッジ本体の側端面に形成され、前記感光性記録媒体以外の記録媒体が収容されたカートリッジの側端面に設けられた係止溝とは形状が異なる溝部と、を備えたことを特徴とする感光性記録媒体用カートリッジ。
【００１０】
上記構成の感光性記録媒体用カートリッジによれば、カートリッジ本体の側端面に、他の記録媒体用カートリッジの係止溝とは形状が異なる溝部が形成されているので、感光性記録媒体用カートリッジを誤って他の記録媒体用記録再生装置、例えば、光磁気ディスク用記録再生装置に挿入すると、光磁気ディスク用記録再生装置のカートリッジフックが溝部と干渉して感光性記録媒体用カートリッジの挿入が阻止される。これにより、感光性記録媒体用カートリッジの誤装填が防止されて感光性記録媒体に記録されたデータが保護される。
【００１１】
（２）  前記溝部の幅は、少なくとも一部が前記係止溝の幅よりも狭いことを特徴とする上記（１）に記載の感光性記録媒体用カートリッジ。
【００１２】
上記構成の感光性記録媒体用カートリッジによれば、カートリッジ本体の側端面に形成された溝部の幅が、他の記録媒体用カートリッジの係止溝の幅よりも狭いので、カートリッジフックが溝部に嵌合することができず、感光性記録媒体用カートリッジの挿入が阻止される。
【００１３】
（３）  前記溝部の深さは、少なくとも一部が前記係止溝の深さよりも浅いことを特徴とする上記（１）に記載の感光性記録媒体用カートリッジ。
【００１４】
上記構成の感光性記録媒体用カートリッジによれば、溝部の深さが他の記録媒体用カートリッジの係止溝の深さよりも浅いので、カートリッジフックと溝部とは嵌合することができず、感光性記録媒体用カートリッジの挿入が阻止される。これにより、感光性記録媒体に記録されたデータが確実に保護される。
【００１５】
（４）  前記溝部は、その幅が前記カートリッジ本体の装填方向前方から後方に向かうに従って次第に狭くなる三角形溝であることを特徴とする上記（１）又は（２）に記載の感光性記録媒体用カートリッジ。
【００１６】
上記構成の感光性記録媒体用カートリッジによれば、溝部は、その幅がカートリッジ本体の装填方向前方から後方に向かうに従って次第に狭くなる三角形溝であるので、略矩形形状のカートリッジフックと溝部とは嵌合することができず、感光性記録媒体用カートリッジの挿入が阻止される。これにより、感光性記録媒体に記録されたデータが確実に保護される。
【００１７】
（５）  前記溝部は、その幅が前記カートリッジ本体の装填方向前方から後方に向かうに従って順次狭くなる複数の溝部からなることを特徴とする上記（１）又は（２）に記載の感光性記録媒体用カートリッジ。
【００１８】
上記構成の感光性記録媒体用カートリッジによれば、溝部の幅が、カートリッジ本体の装填方向前方から後方に向かうに従って順次狭くなる複数の溝部からなるので、略矩形形状のカートリッジフックと溝部とは嵌合することができず、感光性記録媒体用カートリッジの挿入が阻止される。これにより、感光性記録媒体に記録されたデータが確実に保護される。
【００１９】
（６）  前記溝部は、前記カートリッジ本体の装填方向後端部が円弧状に形成されていることを特徴とする上記（１）又は（２）に記載の感光性記録媒体用カートリッジ。
【００２０】
上記構成の感光性記録媒体用カートリッジによれば、溝部はカートリッジ本体の装填方向後端部が円弧状に形成されているので、略矩形形状のカートリッジフックと溝部とは嵌合することができず、感光性記録媒体用カートリッジの挿入が阻止される。これにより、感光性記録媒体に記録されたデータが確実に保護される。
【００２１】
（７）  前記溝部は、前記カートリッジ本体の装填方向後端部の角部が円弧状に形成され、且つ幅が異なる複数の溝部からなることを特徴とする上記（１）又は（２）に記載の感光性記録媒体用カートリッジ。
【００２２】
上記構成の感光性記録媒体用カートリッジによれば、溝部はカートリッジ本体の装填方向後端部の角部が円弧状に形成され、且つ幅が異なる複数の溝部からなるので、略矩形形状のカートリッジフックと溝部とは嵌合することができず、感光性記録媒体用カートリッジの挿入が阻止される。これにより、感光性記録媒体に記録されたデータが確実に保護される。
【００２３】
（８）  前記感光性記録媒体は、ホログラム記録媒体であることを特徴とする上記（１）から（７）のいずれか１つに記載の感光性記録媒体用カートリッジ。
【００２４】
上記構成の感光性記録媒体用カートリッジによれば、感光性記録媒体用カートリッジの誤装填を阻止してホログラム記録媒体への誤った操作を防止することができる。これにより、ホログラム記録媒体を保護すると共に、記録されたデータの損傷を防止することができる。
【発明の効果】
【００２５】
本発明によれば、ホログラム記録媒体などを収容する感光性記録媒体用カートリッジが、種類の異なる記録媒体用の記録再生装置、例えば光磁気ディスク用記録再生装置に誤って装填されるのを阻止し、これにより感光性記録媒体に記録されたデータや記録再生装置に与える損傷を防止することができる感光性記録媒体用カートリッジを提供できる。
【発明を実施するための最良の形態】
【００２６】
以下、本発明の各実施形態を図面に基づいて詳しく説明する。
＜第１実施形態＞
図１は本発明の実施形態であるホログラム記録媒体用カートリッジ（以下、カートリッジと省略する）の外観形状を示す斜視図、図２はカートリッジフックと共に示す図１におけるＩＩ矢視側面図である。
【００２７】
図１に示すように、カートリッジ２０は、このカートリッジを取り扱うホログラム記録装置等に対し、矢印Ｃ方向から装填される。記録ディスク２１は、中心部に穴をあけてディスク状にしたホログラム記録ディスクであり、両面にホログラム記録層が設けられている。このホログラム記録層には、例えば、緑色５３２ｎｍ〜青色４０５ｎｍの波長域のレーザ光により、データがレーザ光の干渉縞として多層記録される。なお、記録ディスク２１の穴部に補強材を付加してもよい。カートリッジ２０は、記録ディスク２１の両面の記録面に記録を行なうために、Ａ面２３ａまたはＢ面２３ｂのいずれかを上にしてホログラム記録装置にセットされる。
【００２８】
カートリッジ２０は、ディスク収容部（図示せず）が設けられたカートリッジ本体２３と、このカートリッジ本体２３の外側に摺動自在に組み込まれるシャッタ２４とを備えている。カートリッジ本体２３には、略長方形の開口２５、２６が形成されている。これらの開口２５、２６は、シャッタ２４が閉じ位置にあるときに、第１シャッタ２４ａ、第２シャッタ２４ｂによって閉じられている。
【００２９】
シャッタ２４が矢印Ｄ方向の開き位置に向けて移動すると、カートリッジ本体２３に設けられている開口２５、２６が開放される。これにより、ディスク収容部内に収容されている記録ディスク２１の中心部２１ａと、記録面２１ｂとが外部に露呈される。シャッタ２４は、内蔵するシャッタバネによって閉じ位置に付勢されている。
【００３０】
図１および図２に示すように、カートリッジ本体２３は、略板状の第１シェル２７と、この第１シェル２７に接合される第２シェル２８とから構成されている。第１シェル２７と第２シェル２８は、例えば、遮光性物質と滑剤とが添加された同一または類似の熱可塑性プラスチックを用いて、射出成形により形成されている。第１シェル２７と第２シェル２８とを重ね合わせることにより、内部に記録ディスク２１を回動自在に収容するディスク収容部が形成される。ディスク収容部の側壁は、複数の遮光壁が入り組んで形成されたラビリンス状の遮光構造となっているので、第１シェル２７及び第２シェル２８の合せ目から光や塵芥が入り込んでも、これらがディスク収容部内にまで進入することはない。
【００３１】
第１シェル２７及び第２シェル２８の外面には、シャッタ２４の厚み以上の深さで内側にオフセットされたシャッタ摺動面２７ａ、２８ａが、シャッタ２４の作動範囲の全域をカバーするように形成されている。
【００３２】
シャッタ２４は、遮光性を有する薄板を略コ字形状となるように屈曲させて形成されている。シャッタ２４は、遮光性、耐食性、装飾性、加工性を得ることができ、且つ軽量で強度のあるものとして、例えば、アルミニウム合金で形成されている。なお、シャッタ２４をプラスチックで形成してもよいが、遮光性と滑り性とを確保するために、遮光性物質と滑剤とが添加されたプラスチックを用いるとよい。
【００３３】
シャッタ２４は、第１シェル２７の外面に形成されたシャッタ摺動面２７ａに対向配置される第１シャッタ２４ａと、第２シェル２８の外面に形成されたシャッタ摺動面２８ａに対向配置される第２シャッタ２４ｂと、これら第１シャッタ２４ａと第２シャッタ２４ｂとを連設する連設部２４ｃとを備えている。シャッタ２４は、第１シャッタ２４ａおよび第２シャッタ２４ｂでカートリッジ本体２３の両面を挟み込み、且つ連設部２４ｃでカートリッジ２０の前面２０ａを覆うようにしてカートリッジ本体２３のシャッタ摺動面２７ａ、２８ａに取り付けられる。
【００３４】
第１シェル２７と第２シェル２８との外面には、シャッタ２４の厚み以上の深さで内側にオフセットさせたシャッタ摺動面２７ａ,２８ａが形成されているのだ、シャッタ２４はカートリッジ本体２３の外側をスムースに移動することができるため、移動による切屑等の発生を抑えることができる。なお、シャッタ摺動面２７ａ,２８ａおよびシャッタ２４の内面は、入射した光を拡散するために、粗面にしてもよい。
【００３５】
シャッタ２４は、図示しないシャッタバネにより閉じ方向に付勢されている。シャッタバネは、例えば、コイルバネからなり、その両端は、シャッタ２４と、第１シェル２７とに係止されている。
【００３６】
第１シェル２７および第２シェル２８の両側端面には、カートリッジ２０の装填方向前方から後方に向かうに従って次第に狭くなる略三角形の凹部２７ｂ、２８ｂが形成されている。略三角形の凹部２７ｂ、２８ｂは、第１シェル２７と第２シェル２８とが組み付けられたとき、カートリッジ２０の両側端面２０ｂに略三角形の溝部２９を形成する。溝部２９の幅Ｗ２は、当然、カートリッジ２０の装填方向前端から後方に向かうに従って次第に狭くなっている。
【００３７】
換言すれば、溝部２９の幅Ｗ２は、少なくとも感光性記録媒体用以外の記録再生装置（図示せず）に設けられたカートリッジフック５の幅Ｗ１（係止溝の幅）よりも狭い部分を有する。従って、カートリッジ２０を感光性記録媒体用以外の記録再生装置に挿入すると、溝部２９の幅Ｗ２がカートリッジフック５の幅Ｗ１と同じところまでしか挿入できず、カートリッジ２０の誤挿入が防止できる。また、このとき、シャッタ２４は開放されずに遮光されているので、カートリッジ２０が誤挿入された記録再生装置が遮光されていないものであっても、記録ディスク２１は感光することがない。
【００３８】
次に、変形例１のカートリッジについて図３に基づいて説明する。図３は変形例１のカートリッジの側面図である。変形例１のカートリッジは、図１および図２で既に説明したカートリッジ２０とは、溝部の形状が異なる以外は同様であるので、同一部分には同一符号または相当符号を付して説明を省略または簡略化する。
【００３９】
図３に示すように、変形例１のカートリッジ３０の溝部３９は、カートリッジ３０の装填方向後方に向かうに従って次第に幅が狭くなる略台形となっている。溝部３９の幅が最も狭い先端の幅Ｗ３は、カートリッジフック５の幅Ｗ１よりも狭いので、溝部３９の途中までしか挿入できず、カートリッジ３０は、第１実施形態と同様に挿入が阻止され、誤挿入が防止される。
【００４０】
図４は、変形例２のカートリッジの側面図である。変形例２のカートリッジは、図１および図２で既に説明したカートリッジ２０とは、溝部の形状が異なる以外は同様であるので、同一部分には同一符号または相当符号を付して説明を省略または簡略化する。
【００４１】
図４に示すように、変形例２のカートリッジ４０の溝部４９は、溝幅Ｗ１の第１溝部４９ａと、Ｗ１より幅の狭いＷ４の溝幅を有し第１溝部４９ａに連続して形成された第２溝部４９ｂとからなる。従って、カートリッジフック５は、第１溝部４９ａには嵌合可能であるが、第２溝部４９ｂには嵌合することができない。従って、カートリッジ４０は、溝部４９の途中までしか挿入されずに第１実施形態と同様に挿入が阻止され、誤挿入が防止される。
【００４２】
図５は、変形例３のカートリッジの側面図である。変形例３のカートリッジは、溝部が３つの溝からなる以外は変形例２のカートリッジと同様であるので、同一部分には同一符号または相当符号を付して説明を省略または簡略化する。
【００４３】
図５に示すように、変形例３のカートリッジ５０の溝部５９は、溝幅Ｗ１の第１溝部５９ａと、Ｗ１より幅の狭いＷ４の溝幅を有し第１溝部５９ａに連続して形成された第２溝部５９ｂと、更に幅の狭いＷ５の溝幅を有し第２溝部５９ｂに連続して形成された第３溝部５９ｃとからなる。従って、カートリッジフック５は、第１溝部５９ａには嵌合可能であるが、第２および第３溝部５９ｂ、５９ｃには嵌合することができない。従って、カートリッジ５０は、溝部５９の途中までしか挿入されずに第１実施形態のカートリッジ２０と同様に挿入が阻止され、誤挿入が防止される。
【００４４】
図６は、変形例４のカートリッジの側面図である。変形例４のカートリッジは、変形例１のカートリッジと溝形状が異なる以外同様であるので、同一部分には同一符号または相当符号を付して説明を省略または簡略化する。
【００４５】
図６に示すように、変形例４のカートリッジ６０の溝部６９は、カートリッジフック５と同じ溝幅Ｗ１に形成されているが、カートリッジ６０の装填方向後端部６９ａが円弧状に形成されているので、円弧状の該後端部６９ａがカートリッジフック５の角部と干渉して挿入が阻止され、誤挿入が防止される。
【００４６】
図７は、変形例５のカートリッジの側面図である。変形例５のカートリッジは、図４に示す変形例３のカートリッジと溝形状が異なる以外同様であるので、同一部分には同一符号または相当符号を付して説明を省略または簡略化する。
【００４７】
図７に示すように、変形例５のカートリッジ７０の溝部７９は、変形例３のカートリッジ４０と同様に、溝幅Ｗ１の第１溝部７９ａと、Ｗ１より幅の狭いＷ４の溝幅を有し第１溝部７９ａに連続して形成された第２溝部７９ｂとからなる。更に、第１溝部７９ａの内角部７９ｃおよび第２溝部７９ｂの後端部７９ｄが円弧状に形成されている。従って、カートリッジフック５は挿入することができずカートリッジ７０の誤挿入が防止される。
【００４８】
上記したように、各実施形態の溝部の形状や幅は、カートリッジフックの形状や幅と異なるので、互いに嵌合することができず、カートリッジの誤挿入が防止できる。
【００４９】
＜第２実施形態＞
次に、本発明の第２実施形態のカートリッジについて、図８を参照して説明する。図８は本発明の第２実施形態のカートリッジの平面図である。尚、第２実施形態のカートリッジは、溝部の深さが異なる以外は図１に示すカートリッジ２０と同様であるので同一部分には同一符号または相当符号を付して説明を省略または簡略化する。
【００５０】
図８に示すように、第２実施形態のカートリッジ８０は、両側端面８０ｂにカートリッジ８０の装填方向前方から後方に向かって溝部８９が形成されている。溝部８９は、装填方向に直交する方向の深さが異なり、連続して形成された２つの溝部８９ａ、８９ｂから構成されている。即ち、カートリッジフック５と係合可能な深さＤ１を有する第１溝部８９ａと、第１溝部８９ａより浅い深さＤ２を有し、カートリッジフック５と係合することができない第２溝部８９ｂとからなる。従って、カートリッジフック５は、第１溝部８９ａとは係合できるが、第２溝部８９ｂに係合することができず、カートリッジ８０の誤挿入が防止される。またこのとき、シャッタ２４が開放することはなく、記録ディスク２１の感光が防止される。
【００５１】
尚、溝部８９の側面視形状については特に限定されず、実施形態１および変形例１から変形例５に示すいずれの形状としてもよい。
【００５２】
また、上記各実施形態および各変形例においては、シャッタのロック機構を持たないカートリッジについて説明したが、シャッタを閉じ位置でロックするロック機構を備えるようにしてもよい。この場合、シャッタが不用意に開放されることがないので、不注意による感光性記録媒体の感光が防止されるので好ましい。
【図面の簡単な説明】
【００５３】
【図１】ホログラム記録媒体用カートリッジの外観形状を示す斜視図である。
【図２】図１のカートリッジをＩＩ矢視方向から見た側面図である。
【図３】変形例１のカートリッジの側面図である。
【図４】変形例２のカートリッジの側面図である。
【図５】変形例３のカートリッジの側面図である。
【図６】変形例４のカートリッジの側面図である。
【図７】変形例５のカートリッジの側面図である。
【図８】第２実施形態のカートリッジの平面図である。
【図９】従来のディスクカートリッジの斜視図である。
【図１０】従来のディスクカートリッジを示し、（Ａ）は平面図、（Ｂ）は側面図である。
【符号の説明】
【００５４】
２０，３０，４０，５０，６０，７０，８０    カートリッジ（感光性記録媒体用カートリッジ）
２０ｂ     側端面
２１       記録ディスク（感光性記録媒体、ホログラム記録媒体）
２１ａ     感光性記録媒体の中心部
２１ｂ     感光性記録媒体の記録面
２３       カートリッジ本体
２４       シャッタ
２５       開口
２９       溝部（三角形溝）
３９，４９，５９，６９，７９，８９    溝部
６９ａ     装填方向後端部
７９ｃ     内角部（後端部の角部）
７９ｄ     後端部
Ｄ１，Ｄ２        溝部の深さ
Ｗ１       カートリッジフックの幅（係止溝の幅）
Ｗ２，Ｗ３，Ｗ４，Ｗ５          溝幅
【図１】
2007052836.tif 000003
【図２】
2007052836.tif 000004
【図３】
2007052836.tif 000005
【図４】
2007052836.tif 000006
【図５】
2007052836.tif 000007
【図６】
2007052836.tif 000008
【図７】
2007052836.tif 000009
【図８】
2007052836.tif 000010
【図９】
2007052836.tif 000011
【図１０】
2007052836.tif 000012